(57)【要約】【課題】セルフサービス形式の食堂等の利用形態に即したテーブルの提供を目的とした。【解決手段】テーブル１は、物品が収納される収納部３と、空気清浄部６とを有している。収納部３は、温調機構部３０により内部温度が低温に維持される保冷収納室２６と、常温収納室２７とを具備している。収納部３は、天板２に対して略水平に配置されており、物品を搭載した状態で全体が回転する。空気清浄部６は、収納部３よりも上方に配置されており、収納部３の回転に連動して回転する。【選択図】  図１
2004357811.tif 000002
【特許請求の範囲】
【請求項１】
物品が収納される収納部と、当該収納部内の一部または全部の雰囲気温度を調整する温度調整手段と、空気清浄手段とを有し、当該収納部は、前記天板に対して略水平に配置され物品を搭載した状態で回転可能な物品搭載面を有し、前記空気清浄手段は、収納部よりも上方に配置され、物品搭載面の回転方向と同一方向又は逆方向に回転する空気吸引部を有することを特徴とするテーブル。
【請求項２】
収納部は、雰囲気温度が常温以上である高温側収納部と、雰囲気温度が常温未満である低温側収納部とを具備していることを特徴とする請求項１に記載のテーブル。
【請求項３】
収納部は、透光性を有する周壁によって包囲されていることを特徴とする請求項１又は２に記載のテーブル。
【請求項４】
収納部は、天面の一部または全部が透光性を有することを特徴とする請求項１乃至３のいずれかに記載のテーブル。
【請求項５】
物品搭載面を回転させる駆動手段を有し、当該駆動手段は、物品搭載面の回転速度を調整可能であることを特徴とする請求項１乃至４のいずれかに記載のテーブル。
【請求項６】
空気清浄手段は、排気を上方に向けて排出する排気部を有することを特徴とする請求項１乃至５のいずれかに記載のテーブル。
【請求項７】
空気清浄手段は、外部に排気を排出する排気排出手段に接続されていることを特徴とする請求項１乃至６のいずれかに記載のテーブル。
【発明の詳細な説明】
【０００１】
【発明の属する技術分野】
本発明はテーブルに関するものであり、特に物品を搭載した状態で天板に対して回転可能なものに関する。
【０００２】
【従来の技術】
従来より、図８に示すように、ショーケース１００内に作り置かれた総菜等を各自が適宜取り出して食事を行ういわゆるセルフサービス形式の食堂がある。かかる形態の食堂では、総菜等を取るためにショーケース１００近辺に多数の人が集まる場合を想定し、食事を行うためのテーブル１０１がショーケース１００から離れた位置に配置されているのが一般的である。ショーケース１００は、温度調整機能を持たず常温で総菜等を保存するものや、総菜等が収納される収納室１０２の保冷機能を有するもの等がある。
【０００３】
【発明が解決しようとする課題】
上記したように、一般的な食堂では総菜等を探す人や食事を行う人が互いに邪魔にならないようにショーケース１００とテーブル１０１とが離れた位置に配置されている。そのため、従来の食堂では、ショーケース１００までいちいち総菜等を探しに行く必要があった。また、従来の食堂では、一度着席した後に総菜等を追加したいときに再度ショーケース１００まで総菜等を取りに行かねばならないという問題があった。
【０００４】
また、上記したような食堂では、食事時のようなピーク時にたくさんの人が集中するため、ショーケース１００から総菜等の物品を取り出すために順番待ちをする必要がある。そのため、上記したような従来の食堂では、ピーク時に食堂内が人で溢れてしまい、順番待ちをする人や食事を行っている人に不快感を与えかねない。また、従来の食堂等は、総菜を取り出し、食事を開始できる態勢になるまでに要する時間が長くならざるを得ない。そのため、従来の形式を採用した食堂等は、来店した客に総菜等を提供するまでにかなりの時間を要するため、せっかく多数の客が来店しても、客の回転率が低くならざるを得ないという問題がある。
【０００５】
従来の食堂等に配置されているショーケース１００は、内部に保存されている総菜等を確認可能なように前面側にガラス扉１０３が取り付けられている。ショーケース１００は、一度に多数の総菜等を収納可能なように収納室１０２の奥行きが広くなっており、奥側の総菜等を取り出しにくい構造になっている。また、ショーケース１００は、通常、前面側のガラス扉１０３以外は透光性を有しない材質で構成されているため、収納室１０２の奥側は光が届かず視認しにくい。
【０００６】
かかる問題を解決すべく、従来技術のショーケース１００には、収納室１０２の内部に電球や蛍光灯等を設け、これにより収納室１０２内を照明する構成としたものがある。しかし、視認性を向上すべく照明等を多数設けると、これにより局所的に発生する熱により総菜等の鮮度維持に悪影響を及ぼすおそれがある。そのため、従来技術のショーケース１００は、収納室１０２の片隅に照明を設けた程度のものであり、収納室１０２内にどうしても総菜等の陰などの死角に入り、どうしても見えづらい場所が生じてしまう。このような場所に総菜等が配置されていると、好みの総菜等を探すためにいちいち収納室１０２内の奥側に手を入れ、総菜等を取り出す必要があり、総菜等を選ぶ作業が億劫になってしまう。
【０００７】
上記したように、従来技術のショーケース１００は収納室１０２内の様子が見づらい場所や物品を取りづらい場所があるため、このような場所に配置された総菜等は製造されてから長期にわたって売れ残ってしまう可能性が高い。そのため、従来の食堂等では、鮮度が維持されているうちに総菜等を効率よく販売するために、収納室１０２の奥側に残っている総菜等を前方に配置し直す前だし作業を行う必要があった。
【０００８】
ショーケース１００内の物品を前だしする場合、通常は収納室１０２内の総菜等の残量が少なく、総菜等の補充が必要なことが多い。そのため、従来技術のショーケース１００では、前だしすべき総菜等を一度収納室１０２から取り出すか、前だしされた総菜越しに無理やり補充作業を行うといった億劫な作業を行う必要があった。
【０００９】
また、上記したようなセルフサービス形式の食堂は、客からの注文を受ける前に調理された多種多様な総菜等をショーケース１００内に保存しておく必要がある。総菜等は、その種類や調理方法により鮮度や旨味を維持するための適温が異なるため、保存温度の異なる複数のショーケース１００を設ける必要があるという問題がある。
【００１０】
さらに、食堂のような人の出入りが激しい場所では、ホコリが発生するなどして食堂内の空気が汚染されやすく食品衛生上好ましくない。従来の食堂では、作り置かれた総菜等がショーケース１００に収納されているため、総菜等の食品に直接ホコリ等が付着することは少ないが、衛生面からすると可能な限り食堂内の雰囲気を清浄な状態に維持しておくことが好ましい。
【００１１】
そこで、本発明は、セルフサービス形式の食堂等の利用形態に即したテーブルの提供を目的とした。
【００１２】
【課題を解決するための手段】
上記した課題を解決すべく提供される請求項１に記載の発明は、物品が収納される収納部と、当該収納部内の一部または全部の雰囲気温度を調整する温度調整手段と、空気清浄手段とを有し、当該収納部は、前記天板に対して略水平に配置され物品を搭載した状態で回転可能な物品搭載面を有し、前記空気清浄手段は、収納部よりも上方に配置され、物品搭載面の回転方向と同一方向又は逆方向に回転する空気吸引部を有することを特徴とするテーブルである。
【００１３】
本発明のテーブルは、物品が収納される収納部を備えており、さらにこの収納部の物品搭載面が天板に対して略水平に回転する。そのため、本発明のテーブルは、着席した状態で目の前に移動してくる物品を観察するだけで収納部内の物品をくまなく確認でき、所望の物品を的確に取り出すことが可能である。
【００１４】
また、本発明のテーブルは、着席すれば直ちに収納部内の物品を取り出すことができるため、従来の食堂のように総菜等の物品を取るために席を離れる必要がなく、物品を取り出すために順番待ちをする必要もない。即ち、本発明のテーブルを食堂等に採用すれば、人は着席するだけで直ちに総菜を取り出して食事を開始できる態勢になる。そのため、本発明のテーブルを設置した食堂等では、来店した客への総菜等の提供に要する時間が最小限で済み、一定時間内に多数の来客者に食事を提供できる。また、本発明のテーブルを食堂等に採用すれば、来客者の多いピーク時であっても食堂等が人で溢れてしまうことを防止でき、来店者に不快感を与えずに済む。
【００１５】
また、本発明のテーブルが備える収納部は、物品搭載面が回転するため、従来技術のショーケースに物品を収納する場合のような、いわゆる「前だし」と称される作業を行わなくても物品は人の目につく。そのため、本発明によれば、上記したような前だし作業を行う必要がなく、セルフサービス形式の食堂等に最適なテーブルを提供できる。
【００１６】
本発明のテーブルは、温度調整手段を備えており、これにより収納部内の一部または全部の雰囲気温度を調整できる。そのため、本発明のテーブルは、収納部内に保冷を要するものや、保温すべき物品を収納しても、鮮度等を損なうことなく保存することができる。
【００１７】
本発明のテーブルは、空気清浄手段を備えており、さらにこの空気清浄手段は、物品搭載面と同一方向又は逆方向に回転する。即ち、空気清浄手段は、時間の経過と共に向きが変わるため、空気清浄手段の周囲から略均等に空気を吸い込み浄化できる。そのため、本発明によれば、テーブルが設置された食堂等の空気を満遍なく清浄化できる。
【００１８】
また、本発明のテーブルは、空気清浄手段が総菜等の物品が収納される収納部よりも上方に位置しているため、上方から降ってくるホコリ等を収納部に落下するまでに捕捉することができる。従って、本発明によれば、収納部から取り出した物品へのホコリ等の付着を未然に防止可能な衛生面に優れたテーブルを提供できる。
【００１９】
上記したテーブルにおいて、収納部は、雰囲気温度が常温以上である高温側収納部と、雰囲気温度が常温未満である低温側収納部とを具備していてもよい。（請求項２）
【００２０】
本発明のテーブルは、収納部が雰囲気温度が常温あるいはそれ以上である高温側収納部と、常温未満である低温側収納部とを具備している。そのため、本発明によれば、複数種の物品を同時に収納部に収納しても、各物品をそれぞれの保存に適した温度で保存できる。
【００２１】
また、上記請求項１又は２に記載のテーブルにおいて、収納部は、透光性を有する周壁によって包囲されていてもよい。（請求項３）
【００２２】
本発明のテーブルは、収納部の周壁が透光性を有し、収納部の全周から内部に向けて光が差し込むため、多数の照明を設けなくても収納部の内部が明るく、物品が陰に入りにくい構造となっている。また、本発明のテーブルは、着席した状態で周壁が目に入る位置となるように収納部を配置すると、着席したままの状態で収納部内にある物品を容易に確認できる。従って、上記した構成によれば、収納部内にある物品を容易かつ的確に確認可能なテーブルを提供できる。
【００２３】
上記したように、本発明のテーブルは、収納部内が明るく照明等を多数設ける必要がないため、テーブルの製造コストや、照明に要するランニングコストを低減できる。また、本発明のテーブルは、収納部内に必要最低限の照明を設けるだけでよいので、照明による発熱も少ない。そのため、本発明のテーブルでは、照明からの発熱による収納部の内部温度が局所的に高温になったり、収納されている物品の温度上昇が起こらない。従って、本発明によれば、生鮮食品等のように低温に維持すべき物品であってもその鮮度を損なうことなく収納部に収納可能なテーブルを提供できる。
【００２４】
上記請求項１乃至３のいずれかに記載のテーブルにおいて、収納部は、天面の一部または全部が透光性を有することが好ましい。（請求項４）
【００２５】
本発明のテーブルは、収納部の天面の一部または全部が透光性を有するため、天面側から入る光によって収納部内が明るくなる構成となっている。そのため、本発明のテーブルは、収納部の内部が明るく、照明等を多数設けなくても内部に収納されている物品が陰や死角に入りにくい。また、本発明のテーブルは、収納部の天面が透光性を有するため、天面側から収納部内の物品を確認できる。従って、上記した構成によれば、収納部内にある物品を容易かつ的確に確認可能なテーブルを提供できる。
【００２６】
本発明のテーブルは、照明等を多数設けなくても収納部内が明るいため、テーブルの製造コストや、照明に要するランニングコストが僅かで済み、照明による発熱も少ない。そのため、本発明のテーブルでは、照明による収納部の内部温度や、収納されている物品の温度上昇が起こらない。従って、本発明によれば、低温に維持すべき物品を好適に収納可能なテーブルを提供できる。
【００２７】
また、上記した請求項１乃至４のいずれかに記載のテーブルは、物品搭載面を回転させる駆動手段を有し、当該駆動手段は、物品搭載面の回転速度を調整可能なものであってもよい。（請求項５）
【００２８】
かかる構成によれば、収納部内を流れる物品の速度を利用形態に合わせて適宜調整できる。
【００２９】
また、上記各請求項に記載のテーブルは、空気清浄手段を具備したものであり、テーブルが設置された食堂等の空気を清浄化することができる。しかし、空気清浄手段は、吸い込んだ空気中に含まれるホコリ等を漏れなく捕捉できるとは限らないため、その排気中には多少のホコリ等が含まれている可能性がある。また、空気清浄手段の排気は一定の風圧で排出されるため、排気が直接人にかかると不快感を与える可能性が高い。また、排気が食堂等の床面に向けて排出されると、床にあるホコリ等を舞上げてしまうおそれがある。
【００３０】
そこで、かかる知見に基づいて提供される請求項６に記載の発明は、上記請求項１乃至５のいずれかに記載のテーブルにおいて、空気清浄手段が、排気を上方に向けて排出する排気部を有することを特徴とするものである。
【００３１】
また同様の知見に基づいて提供される請求項７に記載の発明は、空気清浄手段は、外部に排気を排出する排気排出手段に接続されていることを特徴とする請求項１乃至６のいずれかに記載のテーブルである。
【００３２】
かかる構成によれば、空気清浄手段の排気が人や物品に直接かからず、テーブルが設置された場所の空気を清浄に維持可能なテーブルを提供できる。
【００３３】
【発明の実施の形態】
続いて、本発明の一実施形態であるテーブルについて図面を参照しながら詳細に説明する。図１は、本実施形態のテーブルを示す斜視図である。図２は、図１に示すテーブルの正面図であり、図３は図２のＡ−Ａ断面図である。図４，５は、それぞれ図１に示すテーブルの変形例を示す斜視図である。
【００３４】
図１において、１は本実施形態のテーブルである。テーブル１は、大別して天板２、収納部３、本体部５および空気清浄部６（空気清浄手段）により構成されている。天板２は、食事等を行うための台として機能する部分であり、図１，３に示すように円盤状の板体である。天板２の中央部には、収納部３と後述する温調機構部３０と駆動機構部５０とを接続するための円形の貫通孔７が設けられている。
【００３５】
収納部３は、図１に示すように外観が円筒形であり、その軸心が天板２の軸心と略一致するように配置されている。収納部３は、天面１０、底面１１（物品搭載面）、外周面１２（周壁）、内周面１３を有し、その内部が収納室１５になっている。収納部３は、骨格１６に相当する部分がステンレス鋼（ＳＵＳ３０４）で構成されているが、その他の大部分がガラスや樹脂製の板体のような透光性を有する素材で構成されている。そのため、収納部３は、外部から収納室１５内に収納されている物品をくまなく見渡すことが可能となっている。また、収納部３は、略全体が透光性を有するため、収納部３の周囲全体から収納室１５内全体に光が差し込む。そのため、収納部３内は常に明るく、陰になる部分が少ない。
【００３６】
さらに具体的に説明すると、図３に示すように収納部３の天面１０および底面１１は、共に中央部に後述する温調機構部３０を挿通するための挿通孔１７，１８を有している。底面１１は、物品が搭載される部分であるため、天面１０よりも多少分厚く成形されている。天面１０および底面１１の外周部には、外周面１２を構成する複数の扉板２０を装着するための溝部２１，２２が円周状に設けられている。
【００３７】
外周面１２は、テーブル１の周囲に配置された椅子２５に着席した人の正面に位置する部分である。外周面１２は、天面１０および底面１１の外周に沿う形状に湾曲した１０枚の扉板２０により構成されている。扉板２０は、それぞれ天面１０および天面１１の溝部２１，２２に交互に装着されている。そのため、扉板２０は、収納部３の外周に沿う方向に摺動できる。そのため、収納部３は、椅子２５に着席した状態で扉板２０を開閉することにより収納室１５内の物品を出し入れすることが可能である。
【００３８】
内周面１３は、内径が貫通孔１７，１８と同一の筒状の部分であり、後述する温調機構部３０の外周を包囲している。内周壁１３と温調機構部３０の外壁との間には殆ど隙間がない。そのため、収納室１５は、温調機構部３０や、その下方にある本体部５側のホコリ等が侵入できず、清浄に維持されている。
【００３９】
収納室１５は、天面１０、底面１１、外周面１２、内周面１３により包囲されるドーナツ状の空間である。収納室１５は、内部に立設された仕切板２３によって保冷収納室２６および常温収納室２７の２つの領域に分割されている。保冷収納室２６（低温側収納部）および常温収納室２７（高温側収納部）は、それぞれ内部の雰囲気温度が異なる。さらに具体的には保冷収納室２６は、温調機構部３０（温度調整手段）の作動により内部温度が低下し、常温よりも低温に維持される部分であり、保冷を要する物品を収納できる。また、常温収納室２７は、内部温度が常温程度に維持される部分であり、主として特に保冷を要しない物品が収納される部分である。
【００４０】
収納室１５の中央部には、保冷収納室２６の内部温度を調整する温調機構部３０が設けられている。温調機構部３０は、図１〜３に示すように外観が略円筒形であり、収納室１５の天面１０および底面１１に設けられた挿通孔１７，１８を貫通している。温調機構部３０は、内部に冷凍機３１を内蔵したものであり、保冷収納室２６の内部温度が本体部５内にある制御パネル３２において設定された温度に調整するものである。
【００４１】
さらに具体的に説明すると、温調機構部３０の冷凍機３１には、収納室１５の底面１１や内周壁１３内に挿通された冷却パイプ１９が接続されている。冷却パイプ１９には、冷凍機３１において冷却された冷媒が流れ、収納室１５内を冷却する。
【００４２】
温調機構部３０の上方には、空気清浄部６が設置されている。空気清浄部６は、図１〜３に示すように、外観が円筒形の本体筒３３の周面にガラリ３４を備えた吸い込み口３５（空気吸引部）が設けられており、天面に排気口３６（排気部）が設けられている。空気清浄部６は、本体筒３３の内部に外気を吸い込み口３５から吸い込み排気口３６から排出するためのファンモータ３７と、吸い込み口３５から吸い込まれる空気に含まれているホコリ等を捕捉するフィルター３８が設けられている。フィルター３８は、本体筒３３の天面に設けられた角穴４０を介して着脱し、交換することができる。また、本体筒３３の周面には、空気清浄部６の動作状態を知らせるパイロットランプ３９が設けられている。空気清浄部６は、吸い込み口３５の前面側から取り込まれた空気中のホコリ等をフィルター３８で捕捉し、清浄な空気を本体筒３３の天面にある排気口３６から上方に向けて排出する。
【００４３】
収納室１５および温調機構部３０は、共に底面１１側にある回転円板４１上に設置されている。回転円板４１の裏面側の周部には、複数のフリーベアリング４３が固定されている。また、回転円板４１の裏面中央部には、本体部５内に収納されている動作機構部５０（駆動手段）の駆動装置５２の回転軸５１が接続されており、天板２に対して略水平な姿勢を維持して回転する。そのため、収納室１５および温調機構部３０は、図１に矢印で示すように、天板２の軸心を中心として所定のスピードで一体的に回転する。
【００４４】
本体部５は、外観が略円筒状であり、天板２およびこの上方に配置されている収納室１５や温調機構部３０から作用する荷重を支持している。本体部５の内部には、収納室１５等を回転動作させるための動作機構部５０が内蔵されている。動作機構部５０は、回転円板４１の裏面側に固定された回転軸５１を回転させる駆動装置５２を有している。駆動装置５２は、内部にモータ（図示せず）と減速機（図示せず）とを内蔵しており、本体部５の側面に設けられた扉４８に相当する位置にある制御パネル３２において設定されたスピードで回転軸５１を回転させるものである。
【００４５】
続いて、本実施形態のテーブル１の動作について説明する。テーブル１への電力供給が開始されると、動作機構部５０の駆動装置５２、温調機構部３０の冷凍機３１および空気清浄部６のファンモータ３７が動作を開始する。
【００４６】
動作機構部５０の駆動装置５２が動作を開始すると、回転軸５１が制御パネル３２に設定されたスピードで回転を開始し、これに連動して回転円板４１が回転しはじめる。これにより、回転円板４１と一体化されている収納室１５、温調機構部３０およびこの温調機構部３０に固定されている空気清浄部６がテーブル１の天板２に対する回転動作を開始する。そのため、収納室１５内に収納されている物品は、テーブル１の周囲に配置された椅子２５に着席している人の前を一定のスピードで流れる。椅子２５に着席している人は、収納室１５から取り出したい物品が目前に流れて来たときに収納室１５の扉板２０を周方向にスライドさせて開放するだけで物品を手元に取り出すことができる。
【００４７】
また、温調機構部３０の冷凍機３１への通電が開始されると、保冷収納室２６内の内部温度が制御パネル３２において設定された温度まで低下する。そのため、保冷収納室２６内の物品は、保冷された状態で天板２の周方向に回転する。
【００４８】
上記したように、収納室１５および温調機構部３０が回転を開始すると、これに連動して温調機構部３０の上方に設けられた空気清浄部６も回転し始める。そのため、空気清浄部６は、吸い込み口３５の向く方向が時間の経過と共に順次変化し、本体筒３３の周囲から略均等に空気を吸い込む。そのため、空気清浄部６は、テーブル１が設置された食堂等の空気を満遍なく清浄化できる。
【００４９】
また、空気清浄部６は、図３に矢印で示すようにホコリ等が捕捉され清浄化された空気を本体筒３３の天面から上方に向けて排出する構造となっている。そのため、空気清浄部６は、排気が椅子２５に着席している人に直接かからず、不快感を与えることなく空気の浄化を行える。
【００５０】
また、空気清浄部６における排気は、収納室１５よりも上方に向けて排出されるため、収納室１５から取り出した総菜等の物品にも直接かからない。これに加えて、空気清浄部６は、吸い込み口３５が収納室１５よりも上方に位置しているため、上方から収納室１５に落下するまでに落下してくるホコリ等を捕捉することができる。そのため、収納室１５から取り出した総菜等の物品へのホコリ等の付着を未然に防止できる。
【００５１】
上記したようにテーブル１は、天板２の中央部に総菜等を収納する収納室１２を有しているため、テーブル１が設置された食堂等では、総菜等を取るために席を離れる必要がない。また、テーブル１を配置した食堂等では、食事時のような客が集中的に来店するピーク時であっても、来店者は総菜等の物品を取り出すために順番待ちをする必要がない。そのため、食堂等にテーブル１を設ければ、ピーク時であっても食堂内が人で溢れてしまうことを防止でき、来店者に不快感を与えずに済む。また、テーブル１を設けた食堂等では、客は椅子２５に着席することにより直ちに総菜を取り出して食事を開始できる態勢になる。そのため、テーブル１を設置した食堂等では、来店した客への総菜等の提供に要する時間が最小限で済み、一定時間内に効率よく多数の来客者に食事を提供できる。即ち、テーブル１によれば、食堂等における来客者の回転効率を格段に向上させることができる。従って、テーブル１は、セルフサービス形式や食べ放題方式のような形式で総菜や食品等の物品を提供する食堂等に採用すれば、来客者への物品の提供効率および来客者の回転効率を向上させることができる。
【００５２】
上記したテーブル１は、収納室１５の外周面１２を構成する扉板２０を周方向にスライドさせて収納室１５の開閉を行う、いわゆる引き違い戸を備えたものであったが、本発明はこれに限定されるものではなく、例えば、開き戸や上げ下げ戸、アコーディオン戸等を備えたものであってもよい。また、テーブル１は、例えば図６（ａ），（ｂ），（ｃ）に示すように、半円形の保冷収納室２６および常温収納室２７の外周面１２をそれぞれ多数の領域（本実施形態では６つ）に分割し、それぞれに収納部３の天面１０に蝶番４６を介して取り付けられた引き上げ式の扉４５を設けた構成としてもよい。かかる構成によれば、扉４５に取り付けられた取手４７を掴み、図６に矢印で示すように扉４５を引き上げることにより、収納部３の開閉を行える。
【００５３】
本実施形態のテーブル１は、天面１０が開閉不可能な構造となっていたが、天面１０に物品を出し入れするための窓等を設けてもよい。かかる構成によれば、椅子２５に着席したり、扉板２０の位置まで姿勢を変形させず立ったままの状態で物品の補充や取り出しを行え、これらの作業効率を一層向上させることができる。
【００５４】
また、上記実施形態では、扉板２０を設け収納室１５を閉塞するものであったが、扉板２０を設ける代わりに温調機構部３０の冷凍機３１において冷却された空気等によるエアカーテンを設ける構成としてもよい。かかる構成によっても、収納室１５内の内部温度を所定の温度に調整すると共に、収納室１５内へのホコリ等の侵入を防止できる。
【００５５】
上記したテーブル１は、空気清浄部６の排気を本体筒３３の天面から上方に排出するものであったが、本発明はこれに限定されるものではなく、例えば図４に示すテーブル５４のように本体筒３３の天面側に図示しないダクトに繋がる排気集合筒５５（排気排出手段）を設けた構成とすることも可能である。さらに詳細に説明すると、排気集合筒５５は、本体筒３３側からダクトに繋がる排気配管５６が接続される接続口５７側に向かうに従い開口径が縮径し、両端が開口したテーパー状の筒体である。排気集合筒５５は、接続口５７が本体筒３３側の開口よりも大幅に縮径されているため、空気清浄部６から排出された空気は排気配管５６側に効率よく排出される。かかる構成によれば、空気清浄部６に吸い込まれた空気中のホコリ等を確実に捕捉することができる。
【００５６】
上記実施形態では、収納室１５がテーブル１，５４の天板２よりも上方に位置する例を例示したが、本発明はこれに限定されるものではなく、例えば図５に示すように収納室１５の一部又は全部が天板２よりも下方となるようにしてもよい。かかる構成によれば、収納室１５内に収納されている物品を椅子２５に着席した状態で上方から観察できるため、例えば底の深い容器に入った総菜等であっても内容物を容易に判断できる。
【００５７】
上記したテーブル１，５４は、収納部３が保冷収納室２６および常温収納室２７とから構成され、２種類の温度に調整可能なものであったが、本発明はこれに限定されるものではなく、例えば内部温度が常温よりも高温の高温収納室等を設けた構成であってもよい。
【００５８】
また、テーブル１，５４は、収納部３の回転に連動して空気清浄部６が回転するものであったが、本発明はこれに限定されるものではなく、例えば空気清浄部６が独立的に回転する構成としてもよい。さらに具体的には、例えばテーブル５４は、図７に示すように、集合排気筒５５に固定された排気配管５６を介して空気清浄部６の本体筒３３を回転させる駆動装置６０を設けたものであってもよい。駆動装置６０は、収納部３に対して独立的に回転可能であり、食堂の天井面５８よりも上方から吊り下げられた箱体６１の内部に空気清浄部６の回転速度を調整する動力装置６２を内蔵している。また、排気配管５６は、箱体６１の下方から天面側に向けて挿通されている。排気配管５６内を流れる排気は、箱体６１の天面側に接続され、図示しないダクト等の排気手段に接続される排気筒６３を介して排出される。排気配管５６は、中途に設けられたピローブロック等の転がり軸受けユニット６４を介して回転自在に支持されており、その中途に集電装置６５が設けられている。排気配管５６は、ギア６６を介して動力装置６２に接続されている。そのため、空気清浄部６は、動力装置６２への通電に伴い、収納部３に対して独立的に回転駆動させることができる。また、上記した構成によれば、必要に応じて空気清浄部６の回転方向と、収納部３の回転方向を逆方向にすることも可能である。かかる構成によれば、空気清浄部６を空気清浄に適した速度や回転方向で回転させることができ、より一層の空気清浄効果が得られる。
【００５９】
【発明の効果】
本発明によれば、着席した状態で目の前に移動してくる物品を観察するだけで収納部内の物品をくまなく確認でき、所望の物品を的確に取り出すことが可能なセルフサービス形式の食堂等に好適に採用可能なテーブルを提供できる。
【００６０】
本発明のテーブルは、温度調整手段を備えているため、収納部の内部温度を収納される物品に適した温度に調整できる。
【００６１】
また、本発明のテーブルは、時間の経過と共に向きが変わる空気清浄手段を具備しているため、テーブルが設置される場所の空気を満遍なく清浄化できる。また、本発明のテーブルは、収納部よりも上方に空気清浄手段が設けられているため、収納部や収納部から取り出した物品へのホコリ等の付着を未然に防止できる。
【図面の簡単な説明】
【図１】本発明の一実施形態であるテーブルを示す斜視図である。
【図２】図１に示すテーブルの正面図である。
【図３】図２のＡ−Ａ断面図である。
【図４】図１に示すテーブルの変形例を示す斜視図である。
【図５】図１に示すテーブルの別の変形例を示す斜視図である。
【図６】（ａ）は図１に示すテーブルの変形例を示す平面図であり、同（ｂ）は同（ａ）に示すテーブルが備える収納部の一部を示す斜視図、同（ｃ）は同（ａ）のＡ−Ａ断面図である。
【図７】（ａ）は図４に示すテーブルの変形例を示す正面図であり、同（ｂ）は同（ａ）のＡ方向矢視図、同（ｃ）は同（ａ）のＢ−Ｂ断面図、同（ｄ）は同（ｃ）のＣ方向矢視図である。
【図８】従来技術を示す斜視図である。
【符号の説明】
１，５４  テーブル
２  天板
３  収納部
６  空気清浄部（空気清浄手段）
１１  底面（物品搭載面）
１２  外周面（周壁）
２０  扉板
２６  保冷収納室（低温側収納部）
２７  常温収納室（高温側収納部）
３０  温調機構部（温度調整手段）
３５  吸い込み口（空気吸引部）
３６  排気口（排気部）
５０  動作機構部（駆動手段）
５５  排気集合筒（排気排出手段）
５６  排気配管
【図１】
2004357811.tif 000003
【図２】
2004357811.tif 000004
【図３】
2004357811.tif 000005
【図４】
2004357811.tif 000006
【図５】
2004357811.tif 000007
【図６】
2004357811.tif 000008
【図７】
2004357811.tif 000009
【図８】
2004357811.tif 000010